(57)【要約】【課題】複数の記録層を有する光ディスクに対応する光ディスク装置において、コストアップを抑えながら複数の記録層を有する光ディスクによる層間迷光による影響を回避する光ピックアップ装置を得る。【解決手段】  複数の記録層を有する光ディスクから光検知器６０へ入射される反射光１の光路上に、所定の範囲の波長の光を透過し、前記反射光が入射する面に回折格子７１を有する回折光学素子７０と、前記回折光学素子の前記回折格子を有する面に対向して前記光路上に設けられた第２の光学素子２０と、前記回折光学素子と前記第２の光学素子との間の空間を、前記所定の範囲の波長の光を透過する樹脂で充填する樹脂充填層９０とを備える。【選択図】    図３
2014022005.tif 000002
【特許請求の範囲】
【請求項１】
複数の記録層を有する光ディスクから光検知器へ入射される反射光の光路上に設けられ、前記反射光が入射する面に回折格子を有し所定の範囲の波長の光を透過する回折光学素子と、
前記回折光学素子の前記回折格子を有する面に対向して前記光路上に設けられた第２の光学素子と、
前記回折光学素子と前記第２の光学素子との間の光路上を前記所定の範囲の波長の光を透過する樹脂で充填された樹脂充填層と
を備えたことを特徴とする光ピックアップ装置。
【請求項２】
前記回折光学素子の格子材料は、前記樹脂充填層からなる格子材料よりも屈折率が高く分散率が低い材料からなる
ことを特徴とする請求項１に記載の光ピックアップ装置。
【請求項３】
前記樹脂は、波長３６５ｎｍを中心とし波長３５０ｎｍから波長３８０ｎｍまでの範囲の波長の紫外線を照射することで硬化反応が進む特性を有する
ことを特徴とする請求項１または請求項２に記載の光ピックアップ装置。
【請求項４】
前記回折格子は、それぞれ独立した壁であって自身とも交わることのない複数の壁で構成される
ことを特徴とする請求項１から３のいずれか１項に記載の光ピックアップ装置。
【請求項５】
一方の面に回折格子を有し所定の範囲の波長の光を透過する回折光学素子を設け、前記回折格子を有する面に対向するように第２の光学素子を設ける第１の工程と、
前記回折光学素子と前記第２の光学素子との間の空間を、所定の波長の紫外線で硬化反応が進む樹脂材料を液体の状態で充填させる第２の工程と、
第２の工程の後に、前記所定の波長の紫外線にて前記樹脂材料を硬化させて樹脂充填層を形成させる第３の工程と
を備えることを特徴とする光ピックアップ装置の製造方法。
【請求項６】
前記第３の工程は、前記所定の波長の紫外線として波長３６５ｎｍのＬＥＤ光源からの紫外線を前記樹脂材料に照射する
ことを特徴とする請求項５に記載の光ピックアップ装置の製造方法。
【請求項７】
前記第２の工程と第３の工程の間に、前記回折光学素子と第２の光学素子との光軸を調整する第４の工程を行なう
ことを特徴とする請求項５または請求項６に記載の光ピックアップ装置の製造方法。
【請求項８】
第１の工程は、空洞を有する支持部で前記第２の光学素子を支持し、前記空洞内に前記回折光学素子の全体または回折格子が入り、反射光の光軸と直交する方向にスライド調整可能に設けるものであり、
第２の工程の空間は、前記空洞内にあり、
第４の工程は、反射光の光軸と直交する方向にスライド調整するものである
ことを特徴とする請求項７に記載の光ピックアップ装置の製造方法。
【発明の詳細な説明】
【技術分野】
【０００１】
複数の記録層を有する光ディスクに対応する光ディスク装置に用いる光ピックアップ装置に関する。
【背景技術】
【０００２】
光ディスク装置は、光ディスクの記録層に光ビームを照射して得られた反射光をフォトディテクターで受光し読取り情報を再生する。また、反射光を読取った情報からフォーカスエラー信号およびトラックエラー信号を算出し、フォーカスエラー信号およびトラックエラー信号をもとに、対物レンズについて光学ディスク面に垂直方向（以下、フォーカス方向）および光ディスクの回転軸に対してラジアル方向（以下、トラック方向）の位置を制御して光ビームの焦点を目標のトラックに追従させている。
【０００３】
このとき、フォトディテクターは、所定形状の受光領域を設け、受光領域が受光した反射光を読取り情報に変換する。
【０００４】
光ディスクが有する情報の記録層は、１層のものから複数層のものがある。光ディスクが情報の記録層を複数層有する理由は、記録容量を大きくするためであり、ＤＶＤでは２層、ＢＤでは４層を有する光ディスクが市販されている。また、さらに記録容量を大きくすることを目標とする開発も行われており、２０層を有する光ディスクの開発も行われている。
【０００５】
しかしながら、光ディスクが複数の記録層を有することによって、所望の記録層に光ビームを照射しているときに、所望の記録層と異なる他の記録層において光ビームの一部が照射され、層間迷光が発生する。ここで、層間迷光とは、照射された所望の記録層と異なる他の記録層によって光ビームの一部が反射された光である。このような所望の記録層からの反射光とは異なる層間迷光がフォトディテクターの受光領域に照射されることで、フォトディテクターが読取った情報から生成されるフォーカスエラー信号およびトラックエラー信号が、所望の記録層に照射するための情報に誤差を生むことになり、対物レンズの位置制御を正確に行うことができなくなる。
【０００６】
そこで、反射光の光路上に、反射光の当たる領域を複数に分割して、それぞれの領域が異なる方向に回折するように回折格子を設けたホログラム素子を備え、ホログラム素子を介して回折されたそれぞれの反射光を受光するようにフォトディテクターの受光領域を設けて受光させることで、光ディスクが複数の記録層を有するときでも層間迷光による影響を回避する方法が提案されている（例えば、特許文献１参照）。
【先行技術文献】
【特許文献】
【０００７】
【特許文献１】特開２００８−１３５１５１号公報（第５−７頁、第１図）
【発明の概要】
【発明が解決しようとする課題】
【０００８】
ホログラム素子は、透明基板の片面に回折格子が構成された単層型回折格子が一般的である。このようなホログラム素子は、金型による樹脂成型法で量産できるためコストメリットがある。
【０００９】
しかしながら、このような単層型回折格子によるホログラム素子では、回折効率の波長依存性をもっており、回折効率の損失分となる光が、不要な領域に光が漏れる現象（フレア）や、新たな迷光を生むことになり、フォトディテクターが不要な成分を受光することになるという問題があった。
【００１０】
また、ホログラム素子として、対の回折格子を内側向きに２個の単層型回折格子を重ねた構造の積層型回折格子を用いることで回折効率を向上させることが可能であるが、単層型と比較すると大幅なコストアップを伴うという問題があった。
【００１１】
この発明は、上述のような課題を解決するためになされたもので、コストアップを抑えた光学系を実現するとともに、複数の記録層を有する光ディスクによる層間迷光による影響を回避する光ピックアップ装置を得るものである。
【課題を解決するための手段】
【００１２】
この発明に係る光ピックアップ装置においては、複数の記録層を有する光ディスクから光検知器へ入射される反射光の光路上に設けられ、前記反射光が入射する面に回折格子を有し所定の範囲の波長の光を透過する回折光学素子と、前記回折光学素子の前記回折格子を有する面に対向して前記光路上に設けられた第２の光学素子と、前記回折光学素子と前記第２の光学素子との間の光路上を前記所定の範囲の波長の光を透過する樹脂で充填された樹脂充填層とを備えたものである。
【発明の効果】
【００１３】
この発明は、回折格子と対向する他の光学素子との空間を所定の範囲の波長の光を透過する樹脂で充填した樹脂充填層を設けることで、単層型回折格子にある回折効率の波長依存性を低減することができる為、回折効率を改善する。これにより、広帯波長域で損失分の発生を大幅に低減するので、フォトディテクターにおよぶフレアや迷光の照射の影響を排除することができる。このため、フォーカスエラー信号およびトラックエラー信号に発生する誤差が抑圧され対物レンズ位置制御の精度を向上することができる。
【図面の簡単な説明】
【００１４】
【図１】この発明の実施の形態１を示す光ピックアップ装置の外観斜視図である。
【図２】この発明の実施の形態１を示す光ピックアップ装置の光学系の展開斜視図である。
【図３】この発明の実施の形態１を示す光ピックアップ装置の光学系の模式断面図である。
【図４】この発明の実施の形態１を示す光ピックアップ装置のホログラム素子の回折格子構造を示す斜視図である。
【図５】密着複層回折格子の回折効率を説明する図である。
【図６】密着複層回折格子の回折効率と材料特性の関係を説明する図である。
【図７】本実施の形態に係る光ピックアップ装置の製造フローチャート図である。
【発明を実施するための形態】
【００１５】
実施の形態１．
図１は、この発明を実施するための実施の形態１における光ピックアップ装置を示す外観斜視図である。図１において、１０は光源部であり、２０はプリズムであり、３０はコリメータレンズであり、４１は第１の対物レンズであり、４２は第２の対物レンズであり、５０はアクチュエータであり、５１はステッピングモータであり、６０はフォトディテクター部（光検知器ともよぶ）である。なお、図１において、ｘ軸方向が光ディスクのトラック方向であって、ｙ軸方向が光ディスクの回転軸に対してタンジェント方向であって、ｚ軸方向がフォーカス方向である。
【００１６】
図１に示す光ピックアップ装置の一部を構成する、光源部１０とプリズム２０とフォトディテクター部６０とを含む光学系の展開斜視図を図２に示す。
【００１７】
ここで、本実施の形態では、ＢＤ（Ｂｌｕ−ｒａｙ：登録商標）、ＤＶＤ（Ｄｉｇｉｔａｌ  Ｖｅｒｓａｔｉｌｅ  Ｄｉｓｃ：登録商標）、およびＣＤ（Ｃｏｍｐａｃｔ  Ｄｉｓｃ：登録商標）など複数の光ディスクに対応する光ピックアップ装置として、ＢＤに対応する第１の光源１１及び第１の対物レンズ４１と、ＤＶＤおよびＣＤに対応する第２の光源１２及び第２の対物レンズ４２との２系統を構成するものとして図示及び説明する。第２の光源１２及び第２の対物レンズ４２のように、ＤＶＤおよびＣＤ用の波長のレーザー光を出力する光源とＤＶＤおよびＣＤに互換性のある対物レンズとは一般的に知られているためである。
【００１８】
１つの光ディスク規格に対応する光ピックアップ装置であれば、その規格に基づく波長のレーザー光を出力する光源と、その規格に適応した開口数ＮＡ（Ｎｕｍｅｒｉｃａｌ  Ａｐｅｒｔｕｒｅ）の対物レンズとの１系統の構成であっても構わないことは言うまでもない。
【００１９】
光源部１０から光ディスクの規格に基づいた波長のレーザー光を出力し、プリズム２０およびコリメータレンズ３０を介して対物レンズに入射する。図１では、ＢＤ用に開口数ＮＡ（Ｎｕｍｅｒｉｃａｌ  Ａｐｅｒｔｕｒｅ）を設定された第１の対物レンズ４１と、ＤＶＤおよびＣＤに互換性のある第２の対物レンズ４２とを備える。
【００２０】
コリメータレンズ３０は、ステッピングモータ５１に連なる平行駆動装置に搭載されており、光軸方向（ｘ軸方向）に位置調整ができるように設けられている。
【００２１】
アクチュエータ５０は、第１の対物レンズ４１と第２の対物レンズ４２とを電磁駆動力を用いて光ディスクのフォーカス方向（ｚ軸方向）と光ディスクのトラック方向（ｘ軸方向）に位置調整されるように設けられている。アクチュエータ５０による位置調整は、フォーカスエラー信号、トラックエラー信号をもとに生成された調整位置情報に基づいて制御される。
【００２２】
コリメータレンズ３０は、一方の面から入射された光から他方の面で平行光を得られるように収差補正されたレンズであって、プリズム２０側から入射されたレーザー光を平行光束にして第１の対物レンズ４１または第２の対物レンズ４２側へ出力する。逆に、他方の面から平行光束を入射した場合は一方の面から１点に集光する光束が得られる光束を出力する。ここで、他方の面から入射される平行光束は、第１の対物レンズ４１または第２の対物レンズ４２を介して入射される光ディスクの反射光である。そして、反射光の光束は、集光しながらフォトディテクター部６０に入射されていく。
【００２３】
フォトディテクター部６０は、プリズム２０を介して入射された光ディスクからの反射光を受光して電気信号に変換する。この電気信号をもとに再生信号ならびにフォーカスエラー信号およびトラックエラー信号が算出される。
【００２４】
第１の対物レンズ４１および第２の対物レンズ４２は、コリメータレンズ３０からの平行光束が入射され、入射された平行光束を集光して光ディスク（図示せず）の記録層を照射する。さらに、光ディスクの記録層からの反射光は、第１の対物レンズ４１または第２の対物レンズ４２によって放射されて平行光束になるとともに、コリメータレンズ３０側へ入射される。図１のようなコリメータレンズ３０と第１の対物レンズ４１および第２の対物レンズ４２の配置関係であれば、例えばｘ軸方向の光軸をｚ軸方向の光軸に曲げる打ち上げミラー（図示せず）などを用いることで、コリメータレンズ３０から第１の対物レンズ４１および第２の対物レンズ４２への平行光束の入射、または第１の対物レンズ４１および第２の対物レンズ４２からコリメータレンズ３０への反射光の入射を実現できる。このとき、光ディスクが複数の記録層を有するとき、光ディスクに照射された光は所望の記録層だけではなく他の記録層にも照射されて反射することとなる。従って反射光は所望の記録層以外の記録層からの反射光が層間迷光として含まれることとなる。
【００２５】
第１の対物レンズ４１は、ＢＤ用の対物レンズであり、開口数ＮＡは０．８５として設計されたものであることが望ましい。
【００２６】
第２の対物レンズ４２は、ＤＶＤおよびＣＤ用の対物レンズである。ＤＶＤおよびＣＤで対物レンズの開口数ＮＡとして望ましい値は異なり、それぞれＤＶＤで０．６０、ＣＤで０．４５であるが、対物レンズの入射面に、光軸を中心とする同心円状の回折面（回折輪帯）を形成するなどしてＤＶＤとＣＤとで互換性を持たせることが可能である。ここで、開口数ＮＡが光ディスクで異なるのは、光ディスクの厚み約１．２ｍｍに対して光ディスクの記録層までの厚さが異なり、また記録層での望ましいスポット径が異なることによる。
【００２７】
次に、本実施の形態に係る光ピックアップ装置の一部である光学系について図２を用いて説明する。
【００２８】
光源部１０は、プリズム２０の反対側に第１の光源１１および第２の光源１２が配置されており、それぞれの光源からレーザー光がプリズム２０に向かって出力するように設けられている。光源部１０は、プリズム２０を２つの面で挟むように支持している。
【００２９】
プリズムの一方の面を支持しているプリズム支持部１３は、中央に空洞が設けられている。また、調整ホルダ１４は、シリンドリカルレンズ８０のフォトディテクター部側の面に、ホログラム素子７０およびシリンドリカルレンズ８０を固定して保持する。
【００３０】
プリズム支持部１３と調整ホルダ１４とで、ホログラム素子７０およびシリンドリカルレンズ８０をプリズム支持部１３の空洞に納めて閉じる構成になっている。ここで、プリズム支持部１３と調整ホルダ１４とは組立時には固定せず、調整ホルダ１４はｘ方向にスライド可能に取り付けられる。
【００３１】
調整ホルダ１４とフォトディテクター部６０の受光部６１との間にスプリング６２を設ける。この受光部６１とスプリング６２との間にはフォトディテクター部６０に固定されたスプリングカバー６３を設けて、プリズム支持部１３とフォトディテクター部６０とで調整ホルダ１４を挟みこむ。
【００３２】
このような構成にすることで、調整ホルダ１４は、スプリング６２の与圧を常に受けて挟み込まれてｘ方向にのみスライド位置調整が可能になる。つまり、ホログラム素子７０およびシリンドリカルレンズ８０をｘ方向にスライド位置調整ができる構成となる。スライド位置の調整は、例えばプリズム支持部１３に先端に溝がついた調整ピンを差込回転する穴を設けて、その回転に応じて調整ホルダ１４をスライド調整する構造を持たせることで光学系の組立後の調整が容易に可能となる。
【００３３】
さらに、プリズム２０とホログラム素子７０との間の空間において、少なくとも反射光の光路にあたる空間に、樹脂充填層９０を設ける。樹脂充填層９０については、図３とともに後述する。
【００３４】
第１の光源１１は、ＢＤ用に波長４０５ｎｍの半導体レーザーを出力する。第２の光源１２は、ＤＶＤ用の波長６５０ｎｍの半導体レーザーとＣＤ用の波長７８０ｎｍの半導体レーザーとが出力できる光源であって、いずれかを切り替えて出力する。
【００３５】
プリズム２０は、第１の光源１１または第２の光源１２からのレーザー光を屈折または透過させてコリメータレンズ３０に入射させる。逆に、コリメータレンズ３０側から入射される反射光を屈折させてフォトディテクター部６０の配置する＋ｙ方向に入射させる。
【００３６】
図２の光学系の構成では、第１の光源１１からのレーザー光は、プリズム２０で透過してそのまま＋ｘ方向に直進してコリメータレンズ３０に入射させる。一方、第２の光源１２からのレーザー光は、プリズム２０で一旦−ｙ方向に屈折し、さらに＋ｘ方向に屈折することで第１の光源１１からのレーザー光の光軸に合わせてコリメータレンズ３０に入射させることができる。
【００３７】
対して、光ディスクからの反射光がコリメータレンズ３０を介してプリズム２０へ入射された場合について説明する。この場合、光ディスクからの反射光は、＋ｙ方向に屈折してホログラム素子７０およびシリンドリカルレンズ８０を介してフォトディテクター部６０側に入射させる。
【００３８】
図３は、樹脂充填層９０を施したホログラム素子７０を含む光学系を上面から見た模式断面図である。図３には、図２に示したプリズム支持部１３は、プリズム支持部１３の空洞内を示すために図示していない。
【００３９】
ホログラム素子７０は、プリズム２０側に対向する面に回折格子７１を有する。ホログラム素子７０の材料は、光学ガラス材料または光学用樹脂材料による成型品を用いる。
【００４０】
図３のように、プリズム２０とホログラム素子７０との間の空間において、少なくとも反射光１の光路にあたる空間に、樹脂充填層９０を設ける。樹脂充填層９０は、材料として初期状は液体状で、紫外線領域の光を照射することで硬化反応が進む紫外線硬化型樹脂を用いる。
また、樹脂充填層９０は、液体状の時点で、回折格子７１の底面から側面に至る全面と、プリズム２０の光学面とに密着させるように注入した上で、硬化させて形成する。
【００４１】
反射光１は、プリズム２０から樹脂充填層９０を通り、ホログラム素子７０の回折格子面７１で所望の角度方向に回折し、シリンドリカルレンズ８０で非点収差特性を加えたのち受光部６１に入射する。ここで、光ディスクの所望の記録層からの反射光が小さく集光されて受光部６１で受光することができるように設計されている。
【００４２】
図４は、本実施の形態にかかる光ピックアップ装置に用いるホログラム素子７０の回折格子構造を説明する斜視図である。
【００４３】
回折格子を構成する壁は、それぞれ独立した壁でできており、他の壁と交わらず自身の壁とも交わらない構造にする。これは、それぞれの壁によってコーナ部分や閉じた部分が構成されると回折格子面での樹脂充填層９０のもととなる樹脂材料の注入時に樹脂流れの障害となり流れによどみが発生するが、本実施の形態のように他の壁と交わらず自身の壁とも交わらない構造にすることで、回折格子面での樹脂充填層９０のもととなる樹脂材料の注入時の樹脂流れによどみの発生を防ぐことができる。
【００４４】
ホログラム素子７０の回折格子面の構造は、図４（ａ）のように回折格子周辺に壁がない開放された構造にすることで、樹脂材料の滴下後に必要な樹脂の広がりに伴い排除される空気の逃げ場を確保できる構造となる。
【００４５】
また、ホログラム素子７０の回折格子面の構造は、図４（ｂ）のように回折格子周辺に壁を設け、初期に液体状の樹脂材料が不要な場所まで広がることを防ぐことができる。この場合、樹脂材料の滴下後に必要な樹脂の広がりに伴い排除される空気の逃げ場を確保できるように周辺の壁の一部に溝を設けた構造としてもよい。
【００４６】
このように、プリズム２０とホログラム素子７０との間の空間において、少なくとも反射光の光路にあたる空間に、樹脂充填層９０を設けることで、単層型回折格子を有するホログラム素子を用いながら密着複層型の回折格子と同等の高い回折効率特性が得る光学系を構成することが可能となる。
【００４７】
さらに、単層型回折格子を有するホログラム素子は、金型による樹脂成型法で量産できるため安価に製造できるため、精度の高い密着複層型回折格子を有するホログラム素子を製造したものを用いて構成するよりも比較的簡単に、コストメリットのある光ピックアップ装置の光学系を製造できるという効果を奏する。
【００４８】
次に、本実施の形態に係る光ピックアップ装置のホログラム素子７０と樹脂充填層９０との屈折率及び材料の設計について、詳細に説明する。
【００４９】
図５は、密着複層型回折格子の概念を説明する断面図である。ここで、λは波長、Ｎは屈折率、Ｈは回折格子高さを示す。回折格子の断面図で矢印の方向が、波長λの光の進行方向の場合、入射側を第１の格子、出射側を第２の格子とする。第１の格子材料の波長λに対する屈折率Ｎ１（λ）が、第２の格子材料の波長λに対する屈折率Ｎ２（λ）よりも屈折率が高いとした場合、この密着複層型回折格子の回折効率が１００％となる条件は、第１式の通りである。
【００５０】
【数１】
2014022005.tif 000003
【００５１】
ここで、格子の構成材料の材料特性の指標に使用される光のスペクトル線ｄ線、Ｆ線、Ｃ線でのそれぞれの屈折率を用いて格子材料を選択する際の条件を説明する。ここで、ｄ線の波長λｄは５８７．６ｎｍであって、第１の格子材料の波長λｄに対する屈折率をＮ１（λｄ）第２の格子材料の波長λｄに対する屈折率をＮ２（λｄ）とする。同様にｄ線よりも低い波長Ｆ線の波長λＦは４８６．１ｎｍであって第１の格子材料の波長λＦに対する屈折率をＮ１（λＦ）第２の格子材料の波長λＦに対する屈折率をＮ２（λＦ）とする。ｄ線よりも高い波長Ｃ線の波長λｃは６５６．３ｎｍであって、第１の格子材料の波長λＣに対する屈折率をＮ１（λＣ）第２の格子材料の波長λＦに対する屈折率をＮ２（λＣ）とする。
【００５２】
この場合、第１の格子材料と第２の格子材料の条件は、第１式から波長域ｄでの条件は第２式の通りとなる。
【００５３】
【数２】
2014022005.tif 000004
【００５４】
波長域Ｆ付近の条件は第３式の通りとなる。
【００５５】
【数３】
2014022005.tif 000005
【００５６】
波長域Ｃ付近の条件は第４式の通りとなる。
【００５７】
【数４】
2014022005.tif 000006
【００５８】
次に、波長域ｄを中心に、低い波長域Ｆから高い波長域Ｃまでの広い帯域で回折効率を１００％に近づけるために、低い波長域Ｆおよび高い波長域Ｃにおいても同じ条件が成立する格子材料を選択する。第２式、第３式、第４式の３つの条件式から次の関係式（第５式）が得られる。
【００５９】
【数５】
2014022005.tif 000007
【００６０】
図６は、密着複層回折格子の回折効率が１００％に近づく材料選択の条件を説明する図である。横軸は、材料の波長に対する屈折率の差を表す平均分散であり、縦軸は材料の屈折率を示す。
【００６１】
回折効率と材料特性は、図６のような関係を持つため、密着複層型回折格子では、光が入射する第１の格子側の格子材料に高屈折率低分散型を、続いて入射される第２の格子側の格子材料は低屈折率高分散型となるような組み合わせを実現すればよい。つまり、本実施の形態においては、第１の格子側にあたる樹脂充填層９０の格子材料を高屈折率低分散型とし、第２の格子側にあたるホログラム素子７０の格子材料を低屈折率高分散型とすることになる。
【００６２】
本実施の形態では、ＢＤ、ＤＶＤ、ＣＤの光ディスクに対応するため、４０５ｎｍ、６５０ｎｍ、７８０ｎｍのレーザー波長を使用する。上記回折効率の条件式にてｄ、Ｆ、Ｃで示した関係について、ｄ線の波長λｄを５９２．５ｎｍ、Ｆ線の波長λＦを４０５ｎｍ、Ｃ線の波長λＣを７８０ｎｍに置き換え、第１と第２の格子材料を選択すれば同等の効果が得られる。
【００６３】
本実施の形態では、ホログラム素子７０とプリズム２０との間の空間を樹脂で満たした樹脂充填層を形成するので、光学的な平坦度は十分に保証される。
【００６４】
次に、本実施の形態に係る光ピックアップ装置の組立製造手順を説明する。図７は、本実施の形態に係る光ピックアップ装置の製造フローチャート図である。ＳＴＥＰ０１では、本実施の形態に係る光ピックアップ装置に使用する各部品を製造する。ここで、ホログラム素子７０及び樹脂充填層９０を除くその他の構成要素の製造については、従来技術に則して適当な材料の選択及び製造を行なうものとする。なお、ホログラム素子７０の設計については上述の通りであり、単層型回折格子の構造となるため、金型による樹脂成型法で量産できる。
【００６５】
ＳＴＥＰ０２では、光ピックアップ装置を適宜組み立てる。
【００６６】
ＳＴＥＰ０３では、ＳＴＥＰ０２で光ピックアップ装置を適宜組み立てた後、樹脂充填層９０のもととなる液体を、プリズム２０とホログラム素子７０との空間に滴下して回折格子７１の格子面とプリズム２０の光学面に密着させる。
【００６７】
次に、ＳＴＥＰ０４でホログラム素子７０の位置調整を行なう。光ピックアップ装置を組み立てた初期段階では、ホログラム素子７０と受光部６１の位置は最良位置からずれている可能性が高い。そこで、ＢＤ用の基準ディスクを使用し再生状態とする。フォーカスエラー信号、トラックエラー信号、ＲＦ信号を計測しながら信号再生の状態が最良となる位置にホログラム素子７０を調整する。
【００６８】
図２を用いて説明した通り、ホログラム素子７０はｘ方向にスライド位置調整ができる構造に組み立てられ、基準となる光ディスクを再生しながら再生性能が最良な状態となるように、位置を固定する。スライド位置の調整は、例えばプリズム支持部１３に先端に溝がついた調整ピンを差込回転する穴を設けて、その回転に応じて調整ホルダ１４をスライド調整する構造を持たせることで光学系の組立後の調整が容易に可能となる。
【００６９】
続いて、ＤＶＤ用の基準ディスクを使用しＤＶＤの再生状態を確認する。ＣＤ用の基準ディスクを使用しＣＤの再生状態を確認する。
【００７０】
ＳＴＥＰ０５では、ＳＴＥＰ０４でＢＤ、ＤＶＤ、ＣＤの全ての再生状態が基準を満たすことが確認されたら、紫外線を照射し樹脂充填層９０の樹脂を硬化させる。
【００７１】
ＢＤ用半導体レーザーのレーザー波長は４００ｎｍから４１０ｎｍの波長域が狭いレーザー光が出射される。前記の組立調整時にＢＤ用の基準ディスクを再生するため樹脂充填層９０を前記波長のレーザー光が透過するため、樹脂充填層９０で使用できる材料は前記波長域外で硬化反応が開始されるように設計する必要がある。
【００７２】
樹脂充填層９０に使用する紫外線硬化型樹脂は、ＬＥＤ光源の波長３６５ｎｍで硬化反応が開始される材料を使用する。
【００７３】
紫外線照射装置は、従来のハロゲンランプ光源では２００ｎｍから４５０ｎｍと広い波長域特性であったのに対し、ＬＥＤ光源を使用できるようになり、中心波長３６５ｎｍ、波長域は３５０ｎｍから３８０ｎｍと限定できる。また照射による熱の発生がＬＥＤ光源ではできわめて少なく、熱による歪の発生がなく光路中の樹脂硬化に適した方法である。このような、樹脂充填層９０の紫外線硬化型樹脂材料と紫外線硬化装置を使用することで、光ピックアップの組立工程の途中で光学性能に問題なく所望の樹脂充填層９０を製造することができる。
【００７４】
ＳＴＥＰ０６では、フォトディテクター６０も光源部１０との間に紫外線硬化型構造接着剤を塗布し、紫外線を照射して硬化固定する。フォトディテクター部６０の固定方法は従来どおりハロゲンランプ光源を使用することができる。
【００７５】
以上のように、ホログラム素子７０と樹脂充填層９０との屈折率及び材料の選定及び製造方法を適用することで、ホログラム素子回折格子の回折効率を、ＢＤ、ＤＶＤ、ＣＤ再生波長を包括する広帯域でほぼ１００％とし、回折の損失で発生するフォトディテクターに照射されるフレアや不要な迷光の発生を抑制する。これにより、受光した反射光から生成されるフォーカスエラー信号およびトラックエラー信号に発生する誤差が排除され正確な対物レンズ位置制御を行うことができ、光ディスク装置の性能安定性の尤度を拡大することができる。
【００７６】
さらに、ホログラム素子の回折格子面が樹脂充填層によりカバーされるので、ちりやゴミが付着することがなくなり防塵効果が得られる。
【００７７】
プリズムとホログラム素子が樹脂充填層により剛体結合となるので、温度や湿度など環境変化の影響を受けにくくなり、光ピックアップの耐環境性能が向上する。
【符号の説明】
【００７８】
１  光ディスクからの反射光
１０  光源部
１３  プリズム支持部
２０  プリズム
６０  フォトディテクター部
６１  受光部
７０  ホログラム素子
７１  回折格子
７５  溝部
８０  シリンドリカルレンズ
９０  樹脂充填層
【図１】
2014022005.tif 000008
【図２】
2014022005.tif 000009
【図３】
2014022005.tif 000010
【図４】
2014022005.tif 000011
【図５】
2014022005.tif 000012
【図６】
2014022005.tif 000013
【図７】
2014022005.tif 000014